(57)【要約】【課題】多重観音扉を有する空白紙、印刷物及び冊子収納体を安価に提供する。【解決手段】空白紙は、一枚の紙の打抜き加工と観音扉加工により形成され、複数の層が折り線を介して結合され、第１層は底板と表板とを有し、第２層は底板と等面積の重ね板及びその左右両辺に折り線を介して結合された第１観音扉を有し、重ね板には切り線により第２観音扉が形成されている。重ね板は底板の上に重合され、第１観音扉は重ね板の上に折り重ねられ、表板は第１観音扉の上に折り重ねることにより閉じられる。第１観音扉、第２観音扉及び底板の表面に、写真等が一定の順序で印刷又は配置される。冊子収納体は、空白紙から作成され、底板とその上に重ね合わせた重ね板の間に冊子収納空間が形成され、第１観音扉、第２観音扉並びに底板の表面に、収納される冊子の内容に関係する写真等が一定順序に沿って印刷されている。【選択図】　　　図３
2004122735.tif 000002
【特許請求の範囲】
【請求項１】
一枚の紙を打抜き加工及び観音扉加工をして形成され、
裏カバーとなる底板及び前記底板の左辺と右辺のうち少なくとも一方に折り線を介して結合された表カバーとなる表板とを有する第１層と、前記底板と等しい面積を有する重ね板及び前記重ね板の左右両辺に折り線を介して結合されたフラップ状の第１観音扉を有し、前記重ね板には前記観音扉加工により第２観音扉が形成されている第２層とが、前記底板の前辺と後辺の一方に前記重ね板の前辺と後辺の他方において折り線を介して一体に結合され、
前記第２層の重ね板はその重ね板と前記底板の間の折り線において折られて前記第１層の底板の上に重ね合わされ、
前記第１観音扉は折り線において前記重ね板の上面に折り重ねられて、前記第１観音扉と第２観音扉とで順次開放可能な多重観音扉が構成され、
前記表板は前記折り重ねられた第１観音扉の上に折り重ねることにより閉じられることを特徴とする空白紙、印刷物又は冊子収納体の構造。
【請求項２】
一枚の紙を打抜き加工及び観音扉加工をして形成され、
裏カバーとなる底板及び前記底板の左辺と右辺のうち少なくとも一方に折り線を介して結合された表カバーとなる表板とを有する第１層と、前記底板と等しい面積を有し、観音扉加工により第２観音扉が形成されている第１重ね板を含む第２層と、前記底板と等しい面積を有し、観音扉加工により第３観音扉が形成されている第２重ね板を含む第３層とが、前記底板の前辺又は後辺に第１重ね板と第２重ね板を折り線を介して連設し、又は底板の前辺と後辺の一方に第１重ね板を、他方に第２重ね板をそれぞれ折り線を介して連設して一体に結合され、
前記第１重ね板と前記第２重ね板とが前記底板に対して順次折り重ねられて、第２観音扉と第３観音扉とで順次開放可能な多重観音扉が構成され、
前記表板が前記折り重ねられた第１重ね板と第２重ね板の上に折り重ねることにより閉じられることを特徴とする空白紙、印刷物又は冊子収納体の構造。
【請求項３】
第１重ね板の左辺と右辺のいずれか一方又は両方に前記第１重ね板に対して開閉されるフラップ状の第１観音扉を有することを特徴とする請求項２に記載の空白紙、印刷物又は冊子収納体の構造。
【請求項４】
第２重ね板の左辺と右辺のいずれか一方に前記第２重ね板と等しい大きさを有する第３重ね板が折り線を介して結合され、第１重ね板から第３重ね板までのそれぞれに観音扉加工により第２観音扉、第３観音扉及び第４観音扉が形成されていることを特徴とする請求項２に記載の空白紙、印刷物又は冊子収納体の構造。
【請求項５】
第２重ね板の左辺と右辺の両方に前記第２重ね板と等しい大きさを有する第３重ね板及び第４重ね板が折り線を介して結合され、第１重ね板から第４重ね板までのそれぞれに観音扉加工により第２観音扉、第３観音扉、第４観音扉及び第５観音扉が形成されていることを特徴とする請求項２に記載の空白紙、印刷物又は冊子収納体の構造。
【請求項６】
請求項１ないし請求項５のいずれか１項に記載の空白紙、印刷物又は冊子収納体であって、第２層の重ね板をその重ね板と前記第１層の底板の間の折り線において折り込んで前記底板に重ね合わせることにより、前記底板と前記重ね板の間に冊子収納空間が形成されていることを特徴とする空白紙、印刷物又は冊子収納体。
【発明の詳細な説明】
【０００１】
【発明の属する技術分野】
本発明は、一枚の紙（シート）を加工して、順次開放できる多重観音扉を有する空白紙、印刷物又は冊子収納体に関する。
【０００２】
［用語の定義］　本明細書において、紙とは、板紙、厚紙、ラミネート紙、プラスチックシート等をいい、空白紙とは、一枚の紙から打抜いた空白紙（ブランク）いう。また、観音扉加工とは、材料紙に切り線と折り線を付加して、左右又は上下一対の扉を形成することをいう。多重観音扉とは、２対以上の観音扉をいう。
［利用分野］　本発明による空白紙は、購入者が自由に書き込みするために用いられる。印刷物は、冠婚葬祭記録アルバム、商品カタログ・パンフレット、観光地やホテル等を紹介するパンフレット、挨拶状等に適用可能である。また、冊子収納体は、アルバムやカクログや挨拶状、その他の冊子を収納するために使用される。
【０００３】
【従来の技術】
冠婚葬祭などの式場の案内用媒体、観光地及びホテル等の宿泊施設の案内用媒体又は商品カタログ等の販売促進用媒体などは、従来は、一枚のシートあるいはパンフレット等の枚葉式のものやカタログ等の冊子式であった。
また、例えば結婚式を行った時は、その時々に撮影した写真を、アルバムに時の経過に沿って並べて結婚式記録アルバムとして、近親者や親友等に贈呈する習慣がある。しかし、従来のアルバムは、台紙に透明フィルムを貼付け、その透明フィルムで写真を一枚ずつ収容できるポケットを形成し、そのポケット付き台紙を複数枚、ブック形式又はルーズリーフ式に綴って構成されている。
【０００４】
【発明が解決しようとする課題】
従来の案内用媒体又は商品販売促進用媒体は、パンフレットやカタログ等の平坦な枚葉又はその綴じ合わせもので構成された単純なもので、見る者に魅力を感じさせないため、その配布を望んだり購入したりして見る人が少なく、従って、見込み客を式場や会場、観光地又は各種施設などに誘導する効果もあまり期待されない状態であった。
そして、従来の結婚式記録アルバムには、新郎新婦を始め、結婚式出席者等が撮影されている写真が単に整頓されてポケットに差し込まれているだけ、又は貼付けられているでけであるため、結婚式が行われた場所がどのような所かを非出席者に案内したい場合は、結婚リハーサル時などに写真家などに頼んで予め撮影した結婚式場（教会、神殿等）及びその周辺の写真を添付する必要があった。従って、事前の写真撮影・現像・編集等に時間がかかるので、従来のアルバムは安価ではないので、非出席者に結婚式記録アルバムを贈呈する場合は高額の費用がかかるという問題があった。
そのため、従来のアルバムには、例えば結婚式場がどのような所（教会か神殿か等、周囲環境又は情景、建物の外観や内観・内装、歴史等）であったかを、安価な費用で十分よく記録することができないので、アルバム被贈呈者には、どのような場所、情景あるいは雰囲気の中で結婚式が行われたかを十分に伝達することができなかった。従来の冠婚葬祭の記録アルバムは、すべて上記結婚式記録アルバムと共通の問題があった。
【０００５】
観音扉に鶴亀など、あるいは松竹梅などの縁起物を印刷した一対又は複数対の観音扉を備え、最後の観音扉を開けると、新郎新婦の写真が現われるようにした結婚式記録アルバムが、例えば、実開昭４９−６４０２２，４９−９０２２０，５５−１６０８５８号の各公報などで知られているが、そのいずれも、結婚式がどのような所で行われたかを被贈呈者が知ることはできない。
【０００６】
本発明は、上記の事情に鑑みてなされたものであり、その第一の課題は、一枚の紙の加工により、順次開放可能な多重観音扉を有し、購入者が自由に書き込んで、又は、予め印刷されて、任意の内容を一定の順序性をもって開示することができる魅力的な空白紙、印刷物又は冊子収納体の構造を提供することにある。
【０００７】
【課題を解決するための手段】
上記第一の課題を解決するため、請求項１の発明に係る空白紙、印刷物又は冊子収納体の構造は、一枚の紙を打抜き加工及び観音扉加工をして形成され、裏カバーとなる底板及び前記底板の左辺と右辺のうち少なくとも一方に折り線を介して結合された表カバーとなる表板とを有する第１層と、前記底板と等しい面積を有する重ね板及び前記重ね板の左右両辺に折り線を介して結合されたフラップ状の第１観音扉を有し、前記重ね板には前記観音扉加工により第２観音扉が形成されている第２層とが、前記底板の前辺と後辺の一方に前記重ね板の前辺と後辺の他方において折り線を介して一体に結合され、前記第２層の重ね板はその重ね板と前記底板の間の折り線において折られて前記第１層の底板の上に重ね合わされ、前記第１観音扉は折り線において前記重ね板の上面に折り重ねられて、前記第１観音扉と第２観音扉とで順次開放可能な多重観音扉が構成され、前記表板は前記折り重ねられた第１観音扉の上に折り重ねることにより閉じられることを特徴としている。
上記構成により、第１観音扉と第２観音扉を順次開放すると、空白紙の場合は、これに自由に書き込んだ任意の内容が一定の順序性をもって開示されるようにすることができる。また、印刷物には、観音扉を順次開放すると、社寺仏閣や教会等の冠婚葬祭式場や展示会場、観光地の宿泊施設や建造物や情景など、あるいは商品の写真等（図柄、イラスト、デザインを含む。以下、同じ。）が一定の順序性をもって開示されるようにすることができる。さらに、冊子収納体の場合は、これに収納された冊子に記載された内容と関連性を有する記事や写真等が一定の順序性をもって開示されるようにすることができる。
【０００８】
また、請求項２の発明に係る空白紙、印刷物又は冊子収納体の構造は、一枚の紙を打抜き加工及び観音扉加工をして形成され、裏カバーとなる底板及び前記底板の左辺と右辺のうち少なくとも一方に折り線を介して結合された表カバーとなる表板とを有する第１層と、前記底板と等しい面積を有し、観音扉加工により第２観音扉が形成されている第１重ね板を含む第２層と、前記底板と等しい面積を有し、観音扉加工により第３観音扉が形成されている第２重ね板を含む第３層とが、前記底板の前辺又は後辺に第１重ね板と第２重ね板を折り線を介して連設し、又は底板の前辺と後辺の一方に第１重ね板を、他方に第２重ね板をそれぞれ折り線を介して連設して一体に結合され、前記第１重ね板と前記第２重ね板とが前記底板に対して順次折り重ねられて、第２観音扉と第３観音扉とで順次開放可能な多重観音扉が構成され、前記表板が前記折り重ねられた第１重ね板と第２重ね板の上に折り重ねることにより閉じられることを特徴としている。
上記構成により、第２観音扉と第３観音扉を順次開放すると、空白紙の場合は、これに自由に書き込んだ任意の内容が一定の順序性をもって開示されるようにすることができる。また、印刷物には、観音扉を順次開放すると、社寺仏閣や教会等の冠婚葬祭式場や展示会場、観光地の宿泊施設や建造物や情景など、あるいは商品の写真等が一定の順序性をもって開示されるようにすることができる。さらに、冊子収納体の場合は、これに収納された冊子の記載内容と関連性を有する記事や写真等が一定の順序性をもって開示されるようにすることができる。
【０００９】
請求項２に記載の空白紙、印刷物又は冊子収納体の構造は、第１重ね板の左辺と右辺のいずれか一方又は両方に前記第１重ね板に対して開閉されるフラップ状の第１観音扉を有することが望ましい。
【００１０】
また、請求項２に記載の空白紙、印刷物又は冊子収納体の構造は、第２重ね板の左辺と右辺のいずれか一方に前記第２重ね板と等しい大きさを有する第３重ね板が折り線を介して結合され、第１重ね板から第３重ね板までのそれぞれに観音扉加工により第２観音扉、第３観音扉及び第４観音扉が形成されていることが望ましい。
【００１１】
さらに、請求項２に記載の空白紙、印刷物又は冊子収納体の構造は、第２重ね板の左辺と右辺の両方に前記第２重ね板と等しい大きさを有する第３重ね板及び第４重ね板が折り線を介して結合され、第１重ね板から第４重ね板までのそれぞれに観音扉加工により第２観音扉、第３観音扉、第４観音扉及び第５観音扉が形成されていることが望ましい。
【００１２】
そして、請求項１ないし請求項５のいずれか１項に記載の空白紙、印刷物又は冊子収納体は、第２層の重ね板をその重ね板と前記第１層の底板の間の折り線において折り込んで前記底板に重ね合わせることにより、前記底板と前記重ね板の間に冊子収納空間が形成されていることが望ましい。
【００１３】
【発明の実施の形態】
次に、本発明の実施の形態について、図面に基づいて説明する。
図１は本発明に係る空白紙の大別して２種類の実施の形態をまとめて示す平面図、図２は図１の（ａ）の空白紙の具体的な実施例の平面図、図３はその空白紙を用いた冊子収納体を作成する折畳み手順を示す工程図、図４は冊子収納空間の厚み確保手段と冊子抱持手段の構成を説明するための、完成状態の冊子収納体の要部の断面図である。
【００１４】
図１において、原則として外周の輪郭線を除くほかの実線部分は切り線を表し、点線部分は折り線を表す。
すべての実施の形態に共通する点は、空白紙Ｂ１１，Ｂ２１〜Ｂ２７は、写真及び文字の印刷が可能で、適度な腰の強さを有する一枚の紙（厚紙、ラミネート紙、プラスチックシート等）から、打ち抜き加工及び観音扉加工により形成される点、折り畳み又は折り重ねにより完成状態において最も下側に位置される底板を有する第１層Ｌ１と、折り畳みによりその第１層の上に重ねられる第２層Ｌ２又は第２層Ｌ２と第３層Ｌ３とを有し、少なくとも第２層又は第２層と第３層には重ねられた状態で順次開放可能な多重観音扉が構成されている点、そして、少なくとも各観音扉及び底板には、これに所望の図柄を自由に書き込み可能又は印刷可能である点である。
【００１５】
図１の（ａ）は、第１層Ｌ１と第２層Ｌ２とを一体に有する第１の実施の形態の一例であり、同図（ｂ１）〜（ｂ７）は、第１層Ｌ１と第２層Ｌ２と第３層Ｌ３とを一体に有する第２の実施の形態の例である。また、そのうち、（ｂ１）と（ｂ２）は第２層Ｌ２及び第３層Ｌ３が第１層Ｌ１の底板１と等しい大きさを有する重ね板２，３のみを有する場合であり、（ｂ１）と（ｂ２）の相違点は、前者が底板１の前辺又は後辺の一方側に第２層と第３層が連設されているのに対し、後者は底板１の前辺又は後辺の両方に第２層又は第３層が連設されていることである。
また、（ｂ３），（ｂ４）は第２層Ｌ２が重ね板２の左右の一方又は両方にフラップ状の観音扉又は合わせ扉が設けられ、好みにより、その一方又は両方に窓が形成されている。
第２の実施の形態のうち、（ｂ５）〜（ｂ７）は、第３層Ｌ３の重ね板３の左右の一方又は両方の辺にフラップ状の重ね板４，５が付加されているものである。そして、第２層と第３層の重ね板２〜５には、切り線と折り線の付加（観音扉加工）により形成された観音扉が設けられている。これらの各観音扉は、重ね板２〜５を所定の順序で重ね合わせた場合に、上側から下側に向けて順次開放できるように大きさが設定されている。
【００１６】
以下に、上記各実施の形態の代表的な例について、詳述する。本発明に係る空白紙の用途は、案内用印刷物又は広告宣伝用印刷物に限らず、その他、記録用印刷物又はそれらを収納する収納体など広範である。記録用印刷物の中に結婚記録用アルバムが含まれ、冊子収納体にアルバム収納体が含まれる。以下には、アルバム収納体に利用されることを前提としたものについて具体的に説明する。
【００１７】
図２に示された空白紙Ｂ１１は、図１（ａ）の具体的実施例であり、一枚の紙から打ち抜き加工及び所定の位置に折り線と切り線を付加する観音扉加工により作成され、第１層Ｌ１　と第２層Ｌ２　とを有している。第１層Ｌ１　は、その中央に、完成状態のアルバム収納体に収容されるアルバムの大きさよりも僅かに大きい面積の底板１を有している。その底板１の後辺と前辺に舌片１１，１２が折り線ＦＬ１　，ＦＬ２　を介して結合され、また、底板１の左辺と右辺の少なくとも一方（図１の例では左右両辺）に、このアルバム収納体の表カバーとなる左表板１３と右表板１４が折り線ＦＬ３　，ＦＬ４　を介して結合されている。
【００１８】
左表板１３の左端には差し込み片１５が設けられ、右表板１４の右端部付近に差し込み片１５を差し込む孔１６が切り線により形成されている。これらの差し込み片１５及び孔１６は、表板１３，１４を折り線ＦＬ３，ＦＬ４を折り目として谷折りした場合に差し込み片１５を孔１６に差し込むことにより、このアルバム収納体の表カバー（１３，１４）を閉状態に保持する結束手段の一例を構成する。結束手段をこのような構造とした場合は、製作コストが低減される効果が得られるので好ましい。しかし、表カバーを閉状態に保持する結束手段は図示のものに限らず、挙式種類に相応しい形と色の紐又は帯紙などの結束手段を用いるようにしてもよい。
【００１９】
第２層Ｌ２　は、その中央に第１層Ｌ１　の底板１と同一形状の重ね板２を有し、その重ね板の左右両辺にフラップ状の第１の観音扉２１，２２が折り線ＦＬ５，ＦＬ６を介して結合されていて、観音扉２１，２２は折り線ＦＬ５，ＦＬ６をヒンジとして重ね板２に対して開閉可能である。また、重ね板２には、その中央に横転Ｈ字状の切り線ＣＬ１を形成し、かつ、その切り線の端部間にＨ字のウェブ部と平行な折り線ＦＬ７，ＦＬ８を形成することにより、その重ね板２の中央部分に折り線ＦＬ７，ＦＬ８をヒンジとする第２の観音扉２３，２４が構成されている。
【００２０】
第２層Ｌ２の重ね板２の後辺には、第１層Ｌ１　の一方の舌片１２と対称形の連結部２５が折り線ＦＬ９を介して結合されている。そして、第１層Ｌ１　と第２層Ｌ２　は、連結部２５と第１層Ｌ１　の舌片１２とにおいて折り線ＦＬ１０を介して一体に結合されている。
空白紙Ｂ１１をこのように第１層Ｌ１　と第２層Ｌ２　を文字通り一体に有する形態に製作することに代えて、第１層Ｌ１　と第２層Ｌ２　を別体に製作し、舌片１２の端部と連結部２５の端部とを、可撓性を有してヒンジとなる接着剤付きフィルム又はシート等で接合することにより、実質的に一体に形成してもよい。いずれも材料使用量は同一である。しかし、後者の場合は第１層と第２層を別々に製作する工程と接着工程とを必要とするのに対して、前者の場合は１工程で製作でき、接着工程を必要としないので、製作コストが削減される利点がある。
【００２１】
上記構成の空白紙Ｂ１は、図３を用いて次述するような組立工程により、２重の観音扉と冊子収納空間に相当するアルバム収容空間を有するアルバム収納体となる。
すなわち、第２層Ｌ２　は、折り線ＦＬ１０において谷折りすることにより、図３の（ａ）に示すように、第１層Ｌ１　の上に折り重ねることができ、折り重ねると、第２層の重ね板２が第１層の底板１の真上に位置し、連結部２５は舌片１２の上に重なり合う。この時、第１層の底板１と重ね板２の間にアルバム収納空間Ｓが形成される。なお、図３（ａ）においては、第２観音扉２３，２４が開放された状態で示してある。
【００２２】
そのアルバム収納空間Ｓには、図３の（ａ）に一点鎖線で示すように、任意のアルバムＡ、例えば結婚式記録アルバム、葬式記録アルバム等を底板１と重ね板２の間に介在させて収納することができる。これらのアルバムは、例えば、二つ折りの台紙あるいは冊子に写真を印刷し又は貼付けた、最大で、アルバム収納空間とほぼ同じ面積及び厚みを有するものである。
【００２３】
第２層Ｌ２　の重ね板２の第２観音扉２３，２４は、第２層Ｌ２　を第１層Ｌ１　に折り重ねた状態では、図３の（ｂ）に示すように、アルバム収納空間Ｓの上面を閉じているが、第１観音扉１３，１４が閉鎖されない状態では、折り線ＦＬ７，ＦＬ８（図２参照）をヒンジとして開閉可能である。
【００２４】
次に、図３の（ｃ）に示すように、第１観音扉２１，２２を折り線ＦＬ５，ＦＬ６において谷折りして第２観音扉２３，２４を被覆し、続いて、第１層Ｌ１　の後辺側の舌片１１と、重なり合った連結部２５及び前辺側の舌片１２とを、それぞれ折り線ＦＬ１，ＦＬ２において谷折りして、第１観音扉２１，２２の上に折り重ねる。
【００２５】
最後に、第１層Ｌ１　のまだ開いている表カバー１３，１４を折り線ＦＬ３，ＦＬ４において谷折りして、左の表カバー１３の端部を右の表カバー１４の端部の上に重ね合わせ、差し込み片６を若干湾曲してその先端を差し込み孔７に差し込むと、表カバー１３，１４が自由開放しないように結束されて、図３の（ｄ）に示すように、中にアルバムを収容できる又は収容した、一つのアルバム収納体ＡＣが完成する。
【００２６】
図３の（ｄ）のように結束された状態で、底板１はアルバム収納空間Ｓの底面を画成し、舌片１１，１２はアルバム収納空間の後面と前面を画成し、表カバー１３，１４はアルバム収納空間の左右両側面を画成する。この場合、折り線ＦＬ１，ＦＬ２、ＦＬ３，ＦＬ４を図２に示すようにそれぞれ二重線とし、その二重線の間隔を、アルバムの厚みと等しくなるように設定することにより、アルバム収納空間Ｓをこれに収容されるアルバムと同じ厚みを有するものとすることが可能である。
【００２７】
好ましい実施の形態においては、図２及び図４に示すように、第２層の重ね板２の連結部２５と反対側の辺に、折り線ＦＬ１１を介して延出部２６がさらに設けられ、その延出部の左右両端部に折り線ＦＬ５，ＦＬ６の延長線よりも左右両側に突出する抱持片２７，２８が設けられている。
延出部２６及び抱持片２７，２８は、アルバム収納空間内のアルバムの納まり安定性を高めるためのものであり、次のように用いられる。すなわち、抱持片２７，２８をその付け根部分において、図２に示されている状態で谷折りし、さらに、延出部２６を折り線ＦＬ１１において同じく谷折りする。そして、第２層Ｌ２　を折り線ＦＬ１０において谷折りして、第１層Ｌ１　の上に重ね合わせた後、第１層の折り畳む前の舌片１１と延出部２６の間からアルバムＡをアルバム収納空間Ｓに挿入し、図４に示すように、そのアルバムの左右両側辺を抱持片２７，２８で抱持し、底板１の後辺付近の左右両端部に切り線で形成された孔１７，１８に差し込んで固定する。これにより、アルバムＡは左右に動かない状態で保持される。また、第２層Ｌ２　が第１層Ｌ１　から容易に分離することも防止される。
【００２８】
アルバムＡを収納した後、図４に示すように、舌片１１及び重ね合わされている舌片１２と連結部２５をそれぞれ重ね板２の上側に折り重ねると、アルバムＡはアルバム収納体ＡＣの前後方向への動きも規制される。
【００２９】
上記実施の形態において、空白紙Ｂ１１は、切り線も折り線も形成されない矩形の原紙に所定の写真又は写真と説明書きを印刷した後、図２に示すような所定の形状に打ち抜き、かつ、所定の位置に切り線と折り線を付与すること（観音扉加工）により、中間品としてのアルバム収納体が形成される。
【００３０】
上記アルバム収納体ＡＣには、表カバー１３、第１観音扉２１，２２、第２観音扉２３，２４及び底板１に、本発明特有の思想に基づいて、所定の写真又は写真とその説明書きが所定の順序性をもって印刷されている。以下に、上記アルバム収納体の写真の一例について説明する。
アルバム収納体の表カバー１３の表面には、その中央等希望の位置に、収容されているアルバムの写真の内容を象徴的に現す文字、例えば、「結婚式」「Ｗｅｄｄｉｎｇ　Ｃｅｌｅｂｒａｔｉｏｎ　」や結婚式場の名称又は建物全貌の写真等が印刷されている。
【００３１】
図３（ｄ）の状態のアルバム収納体ＡＣの表カバー１３，１４の結束を解いてこれを図３（ｃ）に示すように開放すると、第１観音扉２１，２２の表面には、当該結婚式場の建物の入口、例えば、教会、神社等の入口の観音扉（又は引分け開き戸）の写真が、好ましくは、観音扉（又は引分け開き戸）の境界面を第１観音扉２１，２２の境界面と一致させた状態で印刷されている。
【００３２】
好ましい実施例においては、第１観音扉２１，２２の裏面に、当該結婚式場の建物の入口からさらに内方に進行する途中に存在する物、例えば、教会又は神社等の評判の建物の外観、銅像、レリーフ、壁画、ステンドガラス、その他の当該結婚式場の建物の代表的な、あるいは象徴的な部分の写真及びその写真説明書きが印刷されている。
【００３３】
さらに、第２観音扉２３，２４の表面には、当該結婚式場の建物の中をさらに進行すると存在する結婚式場のメインホールの写真及びその写真説明書きが印刷されている。そして、最後に、第１層Ｌ１　の底板１の表面、すなわち、アルバム収納空間Ｓの底面には、当該結婚式場の核心部分、例えば、荘厳なチャペルや神殿等の写真が印刷されている。
【００３４】
次に、写真が印刷されたアルバム収納体に収容された結婚式記録アルバムを、その被贈呈者が見る場合の作用を説明する。被贈呈者の手元には、図３（ｄ）のように表カバー１３，１４が閉じられ、結束された状態で届く。アルバムを取出すには、その前、表カバー１３の差し込み片１５を孔１６から引き抜いて、表カバー１３，１４を観音開きする。この表カバーの開放により、第１観音扉２１，２２の表面に印刷されている、教会又は神社等の観音扉が閉じられた入口（玄関）を撮影した写真が現われるため、看者は、自分が当該結婚式場にまさに入場するような印象を与えられる（図３（ｃ）参照）。
【００３５】
進んで、第１観音扉２１，２２の前後両側部分を覆っている舌片１１，１２及び連結部２５をそれぞれ前後両方の外側に折り返して、第１観音扉２１，２２の上方を開放する。そして、その第１観音扉２１，２２を開放すると、第２層の重ね板２全体又はこれに形成されている第２観音扉２３，２４の表面に、例えば教会ホールの入口付近からそのホールの奥を向いて撮影した写真が現われる。従って、看者は、このアルバム収納体の第１及び第２の観音扉を順次開ける際に、例えば教会入口の観音扉を開けて、まさに式場ホールに向かって進行しようとしている時と同様の雰囲気及び心理状態を疑似体験することができる（図３（ｂ）参照）。
【００３６】
また、開放された第１観音扉２１，２２の裏面には、例えば当該結婚式場の建物の代表的外観、銅像、レリーフ、ステンドガラス等の写真が説明書きとともに印刷されているので、当該結婚式場に出席しなかった者にも、このアルバム収納体を見れば、その結婚式場がどのような内部構造及び内装を有する所かの全体像を良く把握することができる。
【００３７】
さらに、アルバム収納体の第２観音扉２３，２４を開放すると、収容されているアルバムの表面が顕れる。アルバムの構成によっては、それに印刷又は貼付けられている新郎新婦の代表的写真が、第２観音扉２３，２４を開放したことにより重ね板２に形成される窓に顕れる（図３（ａ）参照）。
第２観音扉２３，２４の裏面は無地白色であることが望ましい。そうすることにより、新郎新婦の写真が、無用な装飾により希釈されずに、一層際立って見える効果が得られる。
【００３８】
この第２観音扉２３，２４の開放により、まずは、当該結婚式の当事者をその写真により確認することができる。葬式記録アルバムの場合は、この窓において、他界された人又は愛玩動物の遺影を見ることができる。
【００３９】
次に、舌片１１と第２層の重ね板２の先方側との間から、アルバム収納空間Ｓに収容されているアルバムＡを取出せば、そのアルバムを通常通り閲覧することができる。しかし、従来と異なり、そのアルバムの一枚一枚の写真を見る時には、すでに当該結婚式場及び建物等を含めて環境の全貌を知見したので、各写真の被写体や情景等をより深く理解することができる。従って、結婚式場が遠隔地のため出席できなかった親類や主な友人に出席者と同じ式の紙上再現ができ、従来の高価な記念写真や素人の写真と異なり、ストーリー性が高く、喜びと感激があり、従来のアルバムでは得られない共感を享受することができる。
【００４０】
上述の実施の形態によれば、アルバム収納体の複数対の観音扉に当該儀式が行われた施設の入口、外観、内観や情景等の象徴的又は代表的部分の写真を所定の順序で印刷又は貼付けられているので、事前の撮影と上記空白紙を対する大量印刷等により、当事者が自ら又は写真家などの専門家に依頼する場合に比し、格段に安価に制作することができ、しかも、当該儀式などがどのような所で行われたかを式に出席しなかった者にも十分に伝達することができる。
【００４１】
上述したアルバム収納体は、その用途として冠婚葬祭アルバム用、旅行アルバム用、各種施設アルバム用、建造物や仏像アルバム用など、各種の用途別に制作することができ、アルバム収納体の観音扉の表・裏及び底板には、当該用途に適する内容の写真や絵などが必要により説明書きとともに印刷される。旅行アルバム収納体や施設アルバム収納体は、当該観光地の風景、建造物、みやげ品などの写真が道順に沿って印刷されて広告宣伝の効果も期待できる。
【００４２】
本発明を、中に冊子を収納しない印刷物に適用する場合は、上記の表板、裏板、各観音扉に対する冠婚葬祭記録アルバム、商品カタログ、観光地等の案内用パンフレット、あるいは挨拶状に相応しい内容の写真等を一定の順序をもって印刷することにより完成する。この場合、ホテル等の建物や商品特性の最も訴求したい写真等を底板の表面に印刷すると、多重観音扉を順次開くことで、最大の訴求効果を得ることができる。
【００４３】
続いて、本発明の他の実施の形態について説明する。
図５は、図１の（ｂ６）の具体的実施例である。図１の（ａ）の実施例である図２のものと同一又は相当する部材には同一の符号を用いる。
図５のものが図２のものと相違する点は、第２層Ｌ２　の第１の重ね板２の第１層Ｌ１　と反対側の辺に第３層Ｌ３　が一体的に結合されていることである。第３層Ｌ３　は、それぞれ重ね板２と等しい面積を有する３個の重ね板３、４及び５を、左右方向に折り線ＦＬ１２，ＦＬ１３を介して連設してなり、第２の重ね板３が第１の重ね板２に折り線ＦＬ１１を介して結合されている。そして、第１の重ね板２、第２の重ね板３、第３の重ね板４及び第４の重ね板５には、それぞれそのほぼ中央に、Ｈ字形の切り線ＣＬ２　，ＣＬ３　，ＣＬ４　及びその切り線の両端部同士の間に形成された折り線ＦＬ１２〜ＦＬ１７により観音扉３１，３２；４１，４２；５１，５２が設けられている。これらの各対の観音扉は、重ね板２〜５を一定の順序で底板１の上に重ね合わせた場合に、上側から下側に向けて順次小さくなるように設定されている。
【００４４】
図５に示した例では、第１重ね板２の観音扉、第２重ね板３の観音扉、第３重ね板４の観音扉そして、第４重ね板５の観音扉の順序で小さく形成されている。図５の空白紙Ｂ２６の予定の観音扉及び底板表面に所定内容の写真が一定順序をもって印刷されてアルバム収納体の中間品となることは、先の実施例と同様である。
【００４５】
上記構成により、図５のように展開された状態の中間品であるアルバム収納体ＡＣ２を、まず、第３層Ｌ３　を折り線ＦＬ１１において谷折りして第２層Ｌ２　の上に折り重ね、次に、重ね板３の観音扉３１，３２の次に小さい観音扉４１，４２を有する重ね板４を重ね板３の上に折り重ね、さらに、最も小さな観音扉５１，５２を有する重ね板５を重ね板４の上に折り重ねる。この時点では、二番目の大きさを有する観音扉２３，２４が最も下側に存在し、それより上方に順次小さくなる観音扉３１，３２；４１，４２；５１，５２が重なって存在している。次に、第３層Ｌ３　を上に重ねてある第２層Ｌ２　を折り線ＦＬ１０において谷折りして、すなわち、反転して第１層Ｌ１　の上側に重ね合わせる。その状態では、重ね板５と底板１の間にアルバム収容空間が形成され、かつ、最上位の観音扉２３，２４から最下位の観音扉５１，５２まで大きさが順次小さくなる。最上位の観音扉２３，２４と、その左右両側に存在するフラップ状の観音扉２１，２２は、上述した実施の形態における場合と同様に、折り線ＦＬ５，ＦＬ６において折り込み、次いで、前後の舌片１１，１２及び連結部２５を折り込んだ後、表カバー１３，１４を閉め、結束手段１５，１６により結束すると、図３の（ｄ）とほぼ同様の外観を有するアルバム収納体ＡＣ２が完成する。
【００４６】
図６は、上記アルバム収納体ＡＣ２の表カバー１３，１４を開けた後、第１観音扉２１，２２、第２観音扉２３，２４、第３観音扉３１，３２、第４観音扉４１，４２、そして最後の第５観音扉５１，５２を順次開けた結果、窓にアルバムが顕れ、そのアルバムを取り出すと、その窓の底板１の表面に印刷されている写真が露見される様子を示している。
【００４７】
以上の実施の形態は、観音扉の形状がすべて矩形である場合の例であるが、観音扉の形状は任意であり、例えば、図７及び図８に示すように、半円又は半楕円状の扉を備えてもよいし、図示されていないが、三角形その他の形状、格子又は窓を有して透視可能な扉を備えても構わない。また、底板１及び各重ね板の形状も、図示の縦長に限らず、横長あるいは円形もしくは多角形とすることも可能である。
【００４８】
底板１の前後方向に連設される重ね板及び各重ね板の左右方向に連設される重ね板の数は任意であるが、空白紙又は冊子収納体に印刷される写真等の数量は、観察者に取って適度であることが要求されるので、自ずと限界があり、図１及び図７，８に例示された程度のものが適量であると考えられる。冊子としては、上記アルバムのほか、各種挨拶状、商品販売促進用カタログ、パンフレット等のいずれでも良い。
【００４９】
上記実施の形態によれば、一枚の紙を切抜き加工及び観音扉加工して製作される印刷物は、（ａ）結婚記録アルバムとして用いる場合は、冠婚葬祭などの式場の入口から核心点（チャペルや寺院内の祭壇など）までに至る間の情景等を道順に沿って時系列的に認識することができる。（ｂ）商品カタログ又はパンフレットとして用いる場合は、シリーズ商品の関連性又は使用順序などを時系列的に開示するように記載事項の編集をすることができる。（ｃ）挨拶状として用いる場合は、一対の観音扉を開放する度に、その挨拶状の起承転結又は記述内容に対応する順序で図柄を開示することができる。
【００５０】
また、本発明によれば、一枚の紙を切抜き加工及び観音扉加工して製作される冊子収納体は、（ｄ）アルバム収納体として用いる時は、収納されているアルバムに印刷又は配置されている写真に関係する冠婚葬祭がどのような所で行われたかや、冠婚葬祭の式次第等のストーリーををアルバム観察者に伝達することができる。また、（ｅ）観光地の宿泊施設などを紹介するパンフレットの収納体として用いる時は、収納されているパンフレットに記載されている宿泊施設の周辺の見所や土産物店等の存在場所がどのような所であるかをパンフレット観察者に順序性をもって伝達することができる。（ｆ）さらに、挨拶状の収納体として用いる場合は、収納される挨拶状の記載内容に対応する内容を順序性をもって挨拶状読者に伝達することができる。
【００５１】
【発明の効果】
以上のように、本発明によれば、一枚の紙を切抜き加工と観音扉加工により作成されるので、多重観音扉を有する空白紙、印刷物又は冊子収納体を、安価に提供することができる。
【００５２】
そして、本発明による空白紙は、購入者が自由に任意の内容の図柄を書き込み、多重観音扉を順次開放することにより、一定の順序性をもって開示することができるので、従来存在しない図柄表現体を提供することができる。郵便定型内サイズの空白紙を製作すれば、子供等が「総合的な学習の時間」等で、自由発想による挨拶状や手紙等を作り、知人などに郵送することができる。
【００５３】
また、本発明によれば、冠婚葬祭式場や展示会場、観光地等の建造物又は情景などの写真等が一定の順序性をもって開示される魅力的な印刷物を安価に提供することができる。一枚の紙を両面印刷し、打ち抜き加工するだけで、製本や糊付けなどによる作業コストが発生しない上、素人でも折り線に沿って折り畳むことにより完成できるので、大幅な製造コスト削減が可能である。そのため、市場価格よりも大幅に安く提供することができる。
【００５４】
さらに、本発明によれば、多重観音扉を順次開けて行くと、収納されている冊子の印刷内容又は記録内容等に関係する建物、建造物、情景などの写真等が道順等一定の順序に沿って現れるので、冊子の写真等で表されている冠婚葬祭式場や展示会場、販売対象である商品、旅行先観光地などの詳細を一定の順序性をもって冊子観察者に伝達することができる。
【図面の簡単な説明】
【図１】本発明の空白紙の各種の実施の形態を示す平面図。
【図２】図１の中の（ａ）の具体的実施例の平面図。
【図３】図１の（ａ）の空白紙を用いて作成されたアルバム収納体にアルバムを収容する場合の折畳み手順及び開放手順を示す工程図。
【図４】アルバム収納空間の厚み確保手段とアルバム抱持手段の構成を説明するための、完成状態のアルバム収納体の要部の断面図。
【図５】図１の中の（ｂ６）の具体的実施例の平面図。
【図６】図５の空白紙を用いて折り畳んで構成された冊子収納体の観音扉を順次開放した状態を示す斜視図。
【図７】観音扉の他の形状の一例を示す平面図。
【図８】観音扉のさらに他の形状の一例を示す平面図。
【符号の説明】
Ｂ１１，Ｂ２１〜Ｂ２７　空白紙
Ｌ１　　　　第１層
Ｌ２　　　　第２層
Ｌ３　　　　第３層
ＦＬ１〜ＦＬ１７　　折り線
ＣＬ１，ＣＬ２〜ＣＬ４　切り線
１　　　　　底板
２，３，４，５，６　　重ね板
１３，１４　表カバー
２１，２２　第１観音扉
２３，２４　第２観音扉
３１，３２　第３観音扉
４１，４２　第４観音扉
５１，５２　第５観音扉
Ｓ　　　　　アルバム収納空間（冊子収納空間）
Ａ　　　　　アルバム（冊子）
ＡＣ１，ＡＣ２　アルバム収納体（冊子収納体）
【図１】
2004122735.tif 000003
【図２】
2004122735.tif 000004
【図３】
2004122735.tif 000005
【図４】
2004122735.tif 000006
【図５】
2004122735.tif 000007
【図６】
2004122735.tif 000008
【図７】
2004122735.tif 000009
【図８】
2004122735.tif 000010